(57)【特許請求の範囲】
【請求項１】
浴室内あるいは脱衣室内の室温を検出する室温センサと、風呂の給湯機能を有する給湯器と、前記浴室内あるいは脱衣室内の暖房を行う暖房機と、前記給湯器および前記暖房機の両方の運転を操作するための操作装置とを有する風呂システムであって、
前記操作装置において、各種の設定操作に応じて表示画面が切り換えられる表示手段と、
前記操作装置を介して前記給湯器に関する操作が行われた際、前記室温センサにより検出された室温が所定の雰囲気条件を満たす場合、前記暖房機に関する操作を行うための表示画面を前記表示手段に表示させる制御手段と、
を有することを特徴とする、風呂システム。
【請求項２】
前記制御手段は、前記室温センサにより検出された室温を前記表示手段に表示させる、請求項１に記載の風呂システム。
【請求項３】
前記暖房機は、前記浴室内あるいは脱衣室内を換気する機能を備える、請求項１または２に記載の風呂システム。
【請求項４】
浴室内あるいは脱衣室内の湿度を検出する湿度センサと、風呂の給湯機能を有する給湯器と、前記浴室内の除湿を行う除湿機と、前記給湯器および前記除湿機の両方の運転を操作するための操作装置とを有する風呂システムであって、
前記操作装置において、各種の設定操作に応じて表示画面が切り換えられる表示手段と、
前記操作装置を介して前記給湯器に関する操作が行われた際、前記湿度センサにより検出された湿度が所定の雰囲気条件を満たす場合、前記除湿機に関する操作を行うための表示画面を前記表示手段に表示させる制御手段と、
を有することを特徴とする、風呂システム。
【請求項５】
前記制御手段は、前記湿度センサにより検出された湿度を前記表示手段に表示させる、請求項４に記載の風呂システム。
【請求項６】
前記制御手段は、前記給湯器が所要の給湯動作を完了してから所定時間内に前記雰囲気条件が満たされる場合にあっても、前記暖房機または前記除湿機に関する操作を行うための表示画面を前記表示手段に表示させる、請求項１ないし５のいずれかに記載の風呂システム。
【請求項７】
前記雰囲気条件は、前記操作装置を介した設定操作に応じて任意に変更可能なものである、請求項１ないし６のいずれかに記載の風呂システム。
【請求項８】
前記操作装置には、前記暖房機または前記除湿機に関する操作を行うための表示画面が前記表示手段に表示された際、その旨を音声によって報知するための音声報知手段が設けられている、請求項１ないし７のいずれかに記載の風呂システム。
【請求項９】
前記制御手段は、前記雰囲気条件が満たされる場合にあって、かつ、前記給湯器が給湯動作を行わない場合にあっても、前記暖房機または前記除湿機に関する操作を行うための表示画面を前記表示手段に表示させる、請求項１ないし８のいずれかに記載の風呂システム。
【請求項１０】
屋外の気温を検出する気温センサを備え、
前記制御手段は、前記気温センサにより検出された屋外の気温についても前記表示手段に表示させる、請求項１ないし９のいずれかに記載の風呂システム。
【請求項１１】
前記室温センサ、湿度センサ、または気温センサにより検出された過去の結果を記憶する記憶手段を備え、
前記制御手段は、前記記憶手段に記憶された過去の検出結果に対して現在の検出結果を比較して示すように前記表示手段に表示させる、請求項１ないし１０のいずれかに記載の風呂システム。
【発明の詳細な説明】
【０００１】
【発明の属する技術分野】
本発明は、風呂の給湯運転操作に加え、浴室などの暖房や除湿の設定操作を遠隔操作により行うことができる風呂システムに関する。
【０００２】
【従来の技術】
最近の風呂システムには、浴室内の室温や湿度を検出するセンサと、風呂の給湯機能を有する給湯器と、浴室内の暖房や除湿を行う暖房除湿機と、これら給湯器および暖房除湿機の両方の運転を遠隔から操作するための操作装置とを備えたものがある。このような風呂システムに用いられる操作装置には、給湯状態や各種の設定事項を表示するための表示部や、風呂の自動給湯を行うための自動給湯スイッチなどが設けられている。
【０００３】
たとえば、操作装置の自動給湯スイッチを押下すると、給湯器から風呂への給湯が開始される一方、操作装置の表示部には、暖房除湿機を運転操作するための表示画面が呼び出され、この暖房除湿機を実際に稼動させるほか、暖房温度や除湿レベルの設定を行うことができるものとされている。このような暖房除湿機に関する暖房温度や除湿レベルについては、操作装置を介して一度設定しておけば、その都度設定することなく引き続き用いることができる。
【０００４】
【発明が解決しようとする課題】
ところが、暖房除湿機に関して設定された暖房温度よりもセンサによって検出された室温が高い場合、あるいは設定された除湿レベルよりもセンサによって検出された湿度が低い場合などのように、暖房除湿機を運転する必要がない状態にあっても、自動給湯スイッチを押下した際には暖房除湿機を運転操作するための表示画面が必ず表示されるので、給湯器および暖房除湿機の双方に対応した操作装置として使い勝手が良くない面があった。
【０００５】
【発明の開示】
本発明は、上記した事情のもとで考え出されたものであって、給湯器および暖房除湿機の双方の運転操作に関して使い勝手を良くすることができる風呂システムを提供することを、その課題とする。
【０００６】
上記の課題を解決するため、本発明では、次の技術的手段を講じている。
【０００７】
すなわち、本発明の第１の側面によれば、浴室内あるいは脱衣室内の室温を検出する室温センサと、風呂の給湯機能を有する給湯器と、浴室内あるいは脱衣室内の暖房を行う暖房機と、給湯器および暖房機の両方の運転を操作するための操作装置とを有する風呂システムであって、操作装置において、各種の設定操作に応じて表示画面が切り換えられる表示手段と、操作装置を介して給湯器に関する操作が行われた際、室温センサにより検出された室温が所定の雰囲気条件を満たす場合、暖房機に関する操作を行うための表示画面を表示手段に表示させる制御手段とを有することを特徴とする、風呂システムが提供される。
【０００８】
好ましい実施の形態によれば、制御手段は、室温センサにより検出された室温を表示手段に表示させる。
【０００９】
他の好ましい実施の形態によれば、暖房機は、浴室内あるいは脱衣室内を換気する機能を備える。
【００１０】
また、本発明の第２の側面によれば、浴室内あるいは脱衣室内の湿度を検出する湿度センサと、風呂の給湯機能を有する給湯器と、浴室内の除湿を行う除湿機と、給湯器および除湿機の両方の運転を操作するための操作装置とを有する風呂システムであって、操作装置において、各種の設定操作に応じて表示画面が切り換えられる表示手段と、操作装置を介して給湯器に関する操作が行われた際、湿度センサにより検出された湿度が所定の雰囲気条件を満たす場合、除湿機に関する設定操作を行うための表示画面を前記表示手段に表示させる制御手段とを有することを特徴とする、風呂システムが提供される。
【００１１】
好ましい実施の形態によれば、制御手段は、湿度センサにより検出された湿度を表示手段に表示させる。
【００１２】
他の好ましい実施の形態によれば、制御手段は、給湯器が所要の給湯動作を完了してから所定時間内に雰囲気条件が満たされる場合にあっても、暖房機または除湿機に関する操作を行うための表示画面を表示手段に表示させる。
【００１３】
他の好ましい実施の形態によれば、雰囲気条件は、操作装置を介した設定操作に応じて任意に変更可能なものである。
【００１４】
他の好ましい実施の形態によれば、操作装置には、暖房機または除湿機に関する操作を行うための表示画面が表示手段に表示された際、その旨を音声によって報知するための音声報知手段が設けられている。
【００１５】
他の好ましい実施の形態によれば、制御手段は、雰囲気条件が満たされる場合にあって、かつ、給湯器が給湯動作を行わない場合にあっても、暖房機または除湿機に関する操作を行うための表示画面を表示手段に表示させる。
【００１６】
他の好ましい実施の形態によれば、屋外の気温を検出する気温センサを備え、制御手段は、気温センサにより検出された屋外の気温についても表示手段に表示させる。
【００１７】
他の好ましい実施の形態によれば、室温センサ、湿度センサ、または気温センサにより検出された過去の結果を記憶する記憶手段を備え、制御手段は、記憶手段に記憶された過去の検出結果に対して現在の検出結果を比較して示すように表示手段に表示させる。
【００１８】
本発明によれば、操作装置を介してたとえば給湯器の給湯運転操作を行うと、その時点でセンサにより検出された室温あるいは湿度が所定の雰囲気条件を満たす場合に限り、暖房機あるいは除湿機に関する操作を行うための表示画面が表示される。具体例を挙げて言い換えれば、あらかじめ設定された暖房温度よりも室温センサによって検出された室温が高い場合、あるいはあらかじめ設定された除湿レベルよりも湿度センサによって検出された湿度が低い場合には、暖房機や除湿機を運転すべき雰囲気条件にあらず、給湯運転操作を行ってもそれに連動して暖房機あるいは除湿機を操作するための画面が表示されることはない。つまり、雰囲気条件に応じて必要な場合にのみ暖房除湿機の操作画面が表示されるので、給湯器および暖房除湿機の双方の運転操作に関して使い勝手を良くすることができる。
【００１９】
また、センサにより検出された室温あるいは湿度を表示させれば、これらを確認して暖房除湿機に関する暖房温度や除湿レベルを適当に設定変更することができる。暖房機が換気機能を備える場合には、必要な場合にのみ換気を行うことができる。給湯器が所要の給湯動作を完了してから所定時間内に雰囲気条件が満たされる場合にあっても、暖房除湿機に関する操作画面を表示させれば、予約により給湯器が給湯を終えた後にも暖房除湿機の操作画面を自動的に表示することができる。暖房除湿機に関する暖房温度や除湿レベルといった雰囲気条件については、操作装置を介して任意に変更することができる。暖房除湿機の操作画面が表示される際には、その旨を音声によって報知して使用者の注意を喚起することができる。雰囲気条件が満たされる場合にあって給湯器が給湯動作を行わない待機中などにあっても、暖房除湿機に関する操作画面を表示させることができ、給湯器とは連動させずに暖房除湿機のみを運転操作することもできる。屋外の気温についても表示させれば、たとえば暖房除湿機に関する暖房温度を屋外の気温も参考として設定変更することができる。センサによる過去の検出結果と現在の検出結果とを比較して表示するようにすれば、たとえば１日前の屋外の気温などを参考としても暖房除湿機に関する暖房温度を設定変更することができる。
【００２０】
本発明のその他の特徴および利点は、添付図面を参照して以下に行う発明の実施の形態の説明によって、より明らかになるであろう。
【００２１】
【発明の実施の形態】
以下、本発明の好ましい実施の形態を、図面を参照して具体的に説明する。
【００２２】
図１は、本発明に係る風呂システムの一実施形態について、その概要を示す概要図である。この図に示すように、風呂システムは、室温センサＳｔ、湿度センサＳｈ、気温センサＳａ、給湯器Ｈ、暖房除湿機Ｈ／Ｄ、風呂リモコンＲ１、および台所リモコンＲ２などを有して概略構成されている。この風呂システムは、操作装置としての風呂リモコンＲ１や台所リモコンＲ２を介して、給湯器Ｈおよび暖房除湿機Ｈ／Ｄの両方の運転操作などを共通して行えるように構成されたものであって、給湯器Ｈ以外の室温センサＳｔ、湿度センサＳｈ、気温センサＳａ、暖房除湿機Ｈ／Ｄ、風呂リモコンＲ１、および台所リモコンＲ２は、給湯器Ｈに接続されている。
【００２３】
室温センサＳｔは、浴室Ｂ内の室温を検出するものであって、たとえばサーミスタなどにより構成されている。この室温センサＳｔからの検出信号は、給湯器Ｈや暖房除湿機Ｈ／Ｄに伝えられる一方、給湯器Ｈを経由して風呂リモコンＲ１や台所リモコンＲ２に伝えられる。
【００２４】
湿度センサＳｈは、浴室Ｂ内の湿度を検出するものであって、たとえば高分子膜、セラミック、あるいは電解質などといった湿度に応じてインピーダンスや静電容量が変化する素子により構成されている。この湿度センサＳｈからの検出信号も、給湯器Ｈや暖房除湿機Ｈ／Ｄに伝えられる一方、給湯器Ｈを経由して風呂リモコンＲ１や台所リモコンＲ２に伝えられる。
【００２５】
気温センサＳａは、給湯器Ｈなどが設置される屋外の気温を検出するものであって、たとえばサーミスタなどにより構成されている。この気温センサＳａからの検出信号も、給湯器Ｈや暖房除湿機Ｈ／Ｄに伝えられる一方、給湯器Ｈを経由して風呂リモコンＲ１や台所リモコンＲ２に伝えられる。なお、気温センサＳａは、給湯器Ｈに内蔵されたものでも良い。
【００２６】
給湯器Ｈは、浴室Ｂ内の浴槽や台所などに給湯を行うものであって、図示しない燃焼装置や熱交換器などを備えるほか、ＣＰＵなどのマイクロコンピュータからなる制御部１０と通信インターフェイス部１１とを有して構成されている。制御部１０には、燃焼装置や熱交換器などにおける燃焼調整弁や水量調整弁（図示省略）、さらには図示しない水位センサや湯温センサなどがインターフェイス回路（図示省略）を介して接続されているとともに、通信インターフェイス部１１が接続されている。通信インターフェイス部１１は、制御部１０と外部との間で各種の信号をやり取りする。このような給湯器Ｈにおける制御部１０は、後述する風呂リモコンＲ１や台所リモコンＲ２からの運転操作信号などに応じて、湯張り、保温、足し湯、さらには予約給湯などといった給湯動作を制御するほか、通信インターフェイス部１１に接続された外部機器を集中管理する。また、制御部１０は、気温センサＳａにより検出された屋外の気温をたとえば１分間隔などの定期的に取得し、その１時間分の平均を算出する一方、少なくとも過去２４時間以内に取得した屋外の気温を履歴管理している。なお、制御部１０を構成するマイクロコンピュータは、ＣＰＵやＲＯＭ、ＲＡＭ、ＥＥＰＲＯＭ、さらにはリアルタイムクロック回路などを備えたものであって、物理的構成については一般に広く知られていることから、その詳細な図示説明を省略する。
【００２７】
暖房除湿機Ｈ／Ｄは、浴室Ｂ内の暖房を行う機能や除湿を行う機能、さらには浴室Ｂ内の換気を行う機能を備えたものであって、図示しないコンプレッサや熱交換器などを備えるほか、ＣＰＵなどのマイクロコンピュータからなる制御部２０と通信インターフェイス部２１とを有して構成されている。暖房方式としては、給湯器Ｈから温水の供給を受け、この温水を熱源とした温水暖房を採用するが、一般的な電気方式やガス方式でも良い。制御部２０には、コンプレッサなどがインターフェイス回路（図示省略）を介して接続されているとともに、通信インターフェイス部２１が接続されている。通信インターフェイス部２１は、制御部２０と外部との間で各種の信号をやり取りする。このような暖房除湿機Ｈ／Ｄにおける制御部２０は、後述する風呂リモコンＲ１や台所リモコンＲ２からの運転操作信号などに応じて、暖房運転や除湿運転、さらには換気運転などといった動作を制御するが、使用者により設定された暖房温度や除湿レベルを記憶してこれらに応じた制御を行う。なお、制御部２０を構成するマイクロコンピュータは、ＣＰＵやＲＯＭ、ＲＡＭ、ＥＥＰＲＯＭなどを備えたものであって、物理的構成については一般に広く知られていることから、その詳細な図示説明を省略する。
【００２８】
風呂リモコンＲ１は、浴室Ｂ内から遠隔の給湯器Ｈや暖房除湿機Ｈ／Ｄの運転操作や設定操作などを行うことができるよう、浴室Ｂ内の壁面などに設置されたものであって、図示しない自動給湯スイッチや予約給湯スイッチ、設定スイッチ、給湯器Ｈや暖房除湿機Ｈ／Ｄに関する操作画面や時刻などを表示する表示部３２、さらには図示しないスピーカなどを備えるほか、ＣＰＵなどのマイクロコンピュータからなる制御部３０と通信インターフェイス部３１とを有して構成されている。制御部３０には、自動給湯スイッチや予約給湯スイッチ、設定スイッチ、スピーカ、表示部３２などがインターフェイス回路（図示省略）を介して接続されているとともに、通信インターフェイス部３１が接続されている。通信インターフェイス部３１は、制御部３０と外部との間で各種の信号をやり取りする。このような風呂リモコンＲ１における制御部３０は、使用者の操作に応じて各種の操作画面を表示部３２に切り換え表示させたり、表示内容に応じた音声アナウンスをスピーカから発生させたりするが、使用者により設定された暖房温度や除湿レベル、給湯温度などを記憶してこれらに応じた制御を行う。なお、制御部３０を構成するマイクロコンピュータは、ＣＰＵやＲＯＭ、ＲＡＭ、ＥＥＰＲＯＭ、さらにはリアルタイムクロック回路などを備えたものであって、物理的構成については一般に広く知られていることから、その詳細な図示説明を省略する。また、台所リモコンＲ２も、風呂リモコンＲ１と同様の構成を備えるものであって、設置箇所が台所の壁面などである点が風呂リモコンＲ１と異なるだけであることから、その詳細な図示説明を省略する。
【００２９】
図２は、各リモコンの表示部を説明するための説明図であって、この図に一例として示すように、風呂リモコンＲ１や台所リモコンＲ２における表示部３２，４２の左端には、「給湯」や「おふろ」、「暖房」や「除湿」などといった各種の動作モードが示される。この図に示す状態では、「給湯」にマークＭを付した操作画面が表示されており、給湯中の給湯設定温度と現在時刻とが表示されている。特に図示しないが、浴槽への給湯の際には、「おふろ」にマークＭを付した操作画面が表示され、その際の操作画面内には風呂設定温度と現在時刻が表示される。また、暖房の設定や運転を行う際には、「暖房」にマークＭを付した操作画面が表示され、その際の操作画面内には室温センサＳｔにより検出された浴室Ｂ内の室温がすでに設定された暖房温度とともに表示される。同様に、除湿の設定や運転を行う際には、「除湿」にマークＭを付した操作画面が表示され、その際の操作画面内には湿度センサＳｈにより検出された浴室Ｂ内の湿度がすでに設定された除湿レベルとともに表示される。これらの操作画面が表示される際には、その旨が音声によって知らされる。なお、表示部３２の右端画面外には、給湯温度や予約給湯時間、さらには暖房温度や除湿レベルを入力するための設定スイッチＳＷが設けられている。
【００３０】
ここで、風呂リモコンＲ１や台所リモコンＲ２における自動給湯スイッチや予約給湯スイッチを押下した際、各リモコンＲ１，Ｒ２の制御部３０，４０は、給湯器Ｈへと運転操作信号を出力するが、それとほぼ同時に暖房除湿機Ｈ／Ｄに関する操作画面を表示部３２，４２に表示させることができる。このような操作画面は、たとえば１０秒などのある程度時間を経ても使用者が暖房や除湿に関する設定や運転操作を指示しないときには、本来表示されるべき浴槽への給湯に関する操作画面に自動的に切り換えられる。そのため、使用者は、所定時間内であれば暖房や除湿運転を指示したり、すでに設定された暖房温度や除湿レベルを変更することが可能とされている。もちろん、給湯器Ｈが給湯動作を行わない待機中にあっても、使用者は、風呂リモコンＲ１や台所リモコンＲ２を介して暖房や除湿運転を指示したり、暖房温度や除湿レベルを変更することができる。
【００３１】
ところで、仮に、自動給湯スイッチや予約給湯スイッチが押下される度に暖房除湿機Ｈ／Ｄに関する操作画面が表示され、その旨の音声が発せられるとすると、暖房や除湿を行う必要が無い場合、たとえばその時点での浴室Ｂ内の室温が暖房温度より高い場合や、浴室Ｂ内の湿度が除湿レベルより低い場合にあっては操作が煩わしいものとなり、給湯器Ｂおよび暖房除湿機Ｈ／Ｄに共通の操作装置として使い勝手が良くない。そのため、本実施形態では、自動給湯スイッチが押下された際、浴室Ｂ内の室温が暖房温度よりも低い場合に限り、暖房に関する操作画面を表示し、また、浴室Ｂ内の湿度が除湿レベルよりも高い場合に限り、除湿に関する操作画面を表示するように制御部３０，４０が制御している。また、予約給湯スイッチが押下された場合には、その後予約時刻となって給湯器Ｈが湯張りなどの給湯動作を完了してから所定時間内に検出された室温が暖房温度よりも低い場合に限り、その時点で暖房に関する操作画面を表示し、また、給湯動作完了後の所定時間内に検出された湿度が除湿レベルよりも高い場合に限り、その時点で除湿に関する操作画面を表示するように制御部３０，４０が制御している。
【００３２】
次に、風呂システムにおける各リモコンを中心とした動作について説明する。
【００３３】
図３ないし図６は、各リモコンの表示制御処理を示すフローチャートである。なお、以下の説明においては、風呂リモコンＲ１または台所リモコンＲ２の制御部３０，４０におけるＣＰＵを主体として説明する。また、制御部３０，４０のＥＥＰＲＯＭには、使用者により暖房運転を行う際の雰囲気条件として暖房温度が設定されているとともに、除湿運転を行う際の雰囲気条件として除湿レベルが設定されており、また、予約給湯を行うための予約時刻が設定されているとする。
【００３４】
まず、図３に示すように、自動給湯スイッチが押下されると（Ｓ１：ＹＥＳ）、ＣＰＵは、給湯器Ｈに対して給湯運転を要求する（Ｓ２）。これにより、給湯器Ｈは給湯運転を始める。
【００３５】
このとき、ＣＰＵは、室温センサＳｔおよび湿度センサＳｈを駆使して浴室Ｂ内の室温と湿度を検出する（Ｓ３）。
【００３６】
そして、ＣＰＵは、検出結果として得られた現時点での室温があらかじめ設定された暖房温度以下か否かを判断する（Ｓ４）。
【００３７】
現時点での室温が暖房温度以下の場合（Ｓ４：ＹＥＳ）、ＣＰＵは、暖房運転に関する操作画面を表示させる（Ｓ５）。つまり、この場合には、自動給湯スイッチが押下された直後であっても、暖房運転を行うか否かを使用者に問うための操作画面が表示され、その旨のアナウンスが音声によって報知される。図７は、このときに表示される操作画面の一例を説明するための説明図であって、この図に示すように、操作画面には、あらかじめ設定された暖房温度とともに現時点で検出された室温が表示される。
【００３８】
暖房運転に関する操作画面の表示に応じて、使用者により暖房運転を開始する操作がなされると（Ｓ６：ＹＥＳ）、ＣＰＵは、暖房運転を暖房除湿機Ｈ／Ｄに対して要求する（Ｓ７）。これにより、暖房除湿機Ｈ／Ｄは暖房運転を始める。なお、暖房運転に関する操作画面の表示中、使用者は、設定スイッチＳＷを操作して暖房温度を変更したり、換気運転を開始する操作を行ったりすることもできる。
【００３９】
また、ＣＰＵは、Ｓ３で検出結果として得られた現時点での湿度があらかじめ設定された除湿レベル以上か否かを判断する（Ｓ８）。
【００４０】
現時点での湿度が除湿レベル以上の場合（Ｓ８：ＹＥＳ）、ＣＰＵは、除湿運転に関する操作画面を表示させる（Ｓ９）。つまり、この場合には、自動給湯スイッチが押下された後で暖房運転が始められた直後であっても、除湿運転を行うか否かを使用者に問うための操作画面が表示され、その旨のアナウンスが音声によって報知される。図８は、このときに表示される操作画面の一例を説明するための説明図であって、この図に示すように、操作画面には、あらかじめ設定された除湿レベルとともに現時点で検出された湿度が表示される。
【００４１】
除湿運転に関する操作画面の表示に応じて、使用者により除湿運転を開始する操作がなされると（Ｓ１０：ＹＥＳ）、ＣＰＵは、除湿運転を暖房除湿機Ｈ／Ｄに対して要求する（Ｓ１１）。これにより、暖房除湿機Ｈ／Ｄは除湿運転を始める。なお、除湿運転に関する操作画面の表示中、使用者は、除湿レベルを変更する操作を行ったりすることもできる。
【００４２】
その後、ＣＰＵは、自動給湯に関する操作画面を表示させ（Ｓ１２）、その後の給湯器Ｈや暖房除湿機Ｈ／Ｄの動作に応じた表示を行うべくこの表示制御処理を終える。つまり、最終的には、給湯動作をメインとした操作画面が表示され、その旨のアナウンスが音声によって報知される。図９は、このときに表示される操作画面の一例を説明するための説明図であって、この図に示すように、操作画面には、あらかじめ設定された風呂の自動給湯温度や現在時刻などが表示される。なお、給湯動作に関する操作画面の表示中、使用者は、設定スイッチＳＷを操作して給湯温度を変更したりすることもできる。
【００４３】
Ｓ１０において、使用者により除湿運転を開始する操作がなされることなく（Ｓ１０：ＮＯ）、操作画面を切り換える操作がなされたり、あるいは一定時間が経過すると、ＣＰＵは、Ｓ１２に進む。
【００４４】
Ｓ８において、現時点での湿度が除湿レベル以上でない場合にも（Ｓ８：ＮＯ）、ＣＰＵは、Ｓ１２に進む。
【００４５】
Ｓ６において、使用者により暖房運転を開始する操作がなされることなく（Ｓ６：ＮＯ）、操作画面を切り換える操作がなされたり、あるいは一定時間が経過すると、ＣＰＵは、Ｓ８に進む。
【００４６】
Ｓ４において、現時点での室温が暖房温度以下でない場合にも（Ｓ４：ＮＯ）、ＣＰＵは、Ｓ８に進む。つまり、自動給湯スイッチが押下された直後であっても、浴室Ｂ内の室温が暖房温度よりも高く、しかも湿度が除湿レベルよりも低いときには、暖房除湿機Ｈ／Ｄを運転する必要が無いために、図９に示すような風呂の自動給湯動作に関する操作画面がすぐに表示されるのである。
【００４７】
Ｓ１において、自動給湯スイッチが押下されずに（Ｓ１：ＮＯ）、予約給湯スイッチが押下されると（Ｓ２０：ＹＥＳ）、ＣＰＵは、図４のフローに進む。また、予約給湯スイッチが押下されずに（Ｓ２０：ＮＯ）、省エネ表示モードによる動作中の場合（Ｓ４０：ＹＥＳ）、ＣＰＵは、図５のフローに進む。さらに、省エネ表示モードによる動作中でもなく、給湯運転が行われない待機中にある場合（Ｓ４０：ＮＯ）、ＣＰＵは、図６のフローに進む。以下にこれらのフローを説明する。なお、省エネ表示モードとは、給湯動作中などにあってもそれに応じた操作画面が表示されることなく、パーソナルコンピュータなどで言うスクリーンセーバと同様の表示画面が表示された状態を意味する。
【００４８】
まず、図４に示すように、予約給湯に応じたＣＰＵは、予約給湯スイッチが押下されてからの現在時刻が予約時刻に達したか否かを判断する（Ｓ２１）。
【００４９】
現在時刻が予約時刻に達した場合（Ｓ２１：ＹＥＳ）、ＣＰＵは、給湯器Ｈに対して給湯運転を要求する（Ｓ２２）。これにより、給湯器Ｈは予約給湯運転を始める。
【００５０】
給湯器Ｈが予約給湯運転を始めると、ＣＰＵは、予約給湯に関する操作画面を表示させる（Ｓ２３）。このときにも、表示される操作画面は図９に示す操作画面とほぼ同様であり、その旨のアナウンスが音声によって報知される。
【００５１】
その後、ＣＰＵは、給湯器Ｈが給湯動作を完了したか否かを判断する（Ｓ２４）。
【００５２】
給湯器Ｈが給湯動作を完了すると（Ｓ２４：ＹＥＳ）、ＣＰＵは、タイマをセットする（Ｓ２５）。
【００５３】
そして、ＣＰＵは、室温センサＳｔおよび湿度センサＳｈを駆使して浴室Ｂ内の室温と湿度を検出する（Ｓ２６）。
【００５４】
これより、ＣＰＵは、検出結果として得られた現時点での室温があらかじめ設定された暖房温度以下か否かを判断する（Ｓ２７）。
【００５５】
現時点での室温が暖房温度以下の場合（Ｓ２７：ＹＥＳ）、ＣＰＵは、暖房運転に関する操作画面を表示させる（Ｓ２８）。つまり、この場合には、予約給湯スイッチの押下からある程度の時間を経て給湯動作を完了した後、暖房運転を行うか否かを使用者に問うための操作画面が表示され、その旨のアナウンスが音声によって報知される。このときに表示される操作画面も、図７に示す操作画面とほぼ同様とされる。
【００５６】
暖房運転に関する操作画面の表示に応じて、使用者により暖房運転を開始する操作がなされると（Ｓ２９：ＹＥＳ）、ＣＰＵは、暖房運転を暖房除湿機Ｈ／Ｄに対して要求する（Ｓ３０）。これにより、暖房除湿機Ｈ／Ｄは暖房運転を始める。このときにも、使用者は、設定スイッチＳＷを操作して暖房温度を変更したり、換気運転を開始する操作を行ったりすることもできる。
【００５７】
また、ＣＰＵは、Ｓ２６で検出結果として得られた現時点での湿度があらかじめ設定された除湿レベル以上か否かを判断する（Ｓ３１）。
【００５８】
現時点での湿度が除湿レベル以上の場合（Ｓ３１：ＹＥＳ）、ＣＰＵは、除湿運転に関する操作画面を表示させる（Ｓ３２）。つまり、この場合には、予約給湯スイッチの押下からある程度の時間を経て給湯動作を完了した後、除湿運転を行うか否かを使用者に問うための操作画面が表示され、その旨のアナウンスが音声によって報知される。このときに表示される操作画面も、図８に示す操作画面とほぼ同様とされる。
【００５９】
除湿運転に関する操作画面の表示に応じて、使用者により除湿運転を開始する操作がなされると（Ｓ３３：ＹＥＳ）、ＣＰＵは、除湿運転を暖房除湿機Ｈ／Ｄに対して要求する（Ｓ３４）。これにより、暖房除湿機Ｈ／Ｄは除湿運転を始める。このときにも、使用者は、除湿レベルを変更する操作を行ったりすることもできる。
【００６０】
その後、ＣＰＵは、Ｓ２５のタイマセットから一定時間が経過してタイムアップとなったか否かを判断する（Ｓ３５）。
【００６１】
タイムアップとなった場合（Ｓ３５：ＹＥＳ）、ＣＰＵは、元の予約給湯に関する操作画面を表示させ（Ｓ３６）、その後の給湯器Ｈや暖房除湿機Ｈ／Ｄの動作に応じた表示を行うべくこの表示制御処理を終える。つまり、最終的には、予約給湯動作をメインとした操作画面が表示され、その旨のアナウンスが音声によって報知される。
【００６２】
その一方、Ｓ３５において、タイムアップしない場合（Ｓ３５：ＮＯ）、ＣＰＵは、Ｓ２６〜Ｓ３４を繰り返すべくＳ２６に戻る。
【００６３】
Ｓ３３において、使用者により除湿運転を開始する操作がなされることなく（Ｓ３３：ＮＯ）、操作画面を切り換える操作がなされたり、あるいは一定時間が経過すると、ＣＰＵは、Ｓ３５に進む。
【００６４】
Ｓ３１において、現時点での湿度が除湿レベル以上でない場合にも（Ｓ３１：ＮＯ）、ＣＰＵは、Ｓ３５に進む。
【００６５】
Ｓ２９において、使用者により暖房運転を開始する操作がなされることなく（Ｓ２９：ＮＯ）、操作画面を切り換える操作がなされたり、あるいは一定時間が経過すると、ＣＰＵは、Ｓ３１に進む。
【００６６】
Ｓ２７において、現時点での室温が暖房温度以下でない場合にも（Ｓ２７：ＮＯ）、ＣＰＵは、Ｓ３１に進む。つまり、予約給湯に応じて給湯動作を終えた直後にあって、浴室Ｂ内の室温が暖房温度よりも高く、しかも湿度が除湿レベルよりも低いときには、暖房除湿機Ｈ／Ｄを運転する必要が無いために、予約給湯動作に関する操作画面がすぐに表示されるのである。
【００６７】
Ｓ２４において、給湯器Ｈが給湯動作を完了しない場合（Ｓ２４：ＮＯ）、ＣＰＵは、給湯動作を完了するまでＳ２４以降に進まない。
【００６８】
Ｓ２１において、現在時刻が未だ予約時刻に達しない場合（Ｓ２１：ＮＯ）、ＣＰＵは、現在時刻が予約時刻に達するまでＳ２１以降に進まない。
【００６９】
次に、図５に示すように、省エネ表示モード中にあってもＣＰＵは、定期的に室温センサＳｔおよび湿度センサＳｈを駆使して浴室Ｂ内の室温と湿度を検出している（Ｓ４１）。
【００７０】
また、ＣＰＵは、使用者により省エネ表示モードを解除する所定の操作がなされたか否かを監視している（Ｓ４２）。
【００７１】
使用者により省エネ表示モードが解除されると（Ｓ４２：ＹＥＳ）、ＣＰＵは、その時点で検出結果として得られた室温があらかじめ設定された暖房温度以下か否かを判断する（Ｓ４３）。
【００７２】
現時点での室温が暖房温度以下の場合（Ｓ４３：ＹＥＳ）、ＣＰＵは、暖房運転に関する操作画面を表示させる（Ｓ４４）。つまり、この場合には、省エネ表示モードを解除する操作に応じて暖房運転を行うか否かを使用者に問うための操作画面が表示され、その旨のアナウンスが音声によって報知される。このときに表示される操作画面も、図７に示す操作画面とほぼ同様とされる。
【００７３】
暖房運転に関する操作画面の表示に応じて、使用者により暖房運転を開始する操作がなされると（Ｓ４５：ＹＥＳ）、ＣＰＵは、暖房運転を暖房除湿機Ｈ／Ｄに対して要求する（Ｓ４６）。これにより、暖房除湿機Ｈ／Ｄは暖房運転を始める。
【００７４】
また、ＣＰＵは、Ｓ４１で検出結果として得られた現時点での湿度があらかじめ設定された除湿レベル以上か否かを判断する（Ｓ４７）。
【００７５】
現時点での湿度が除湿レベル以上の場合（Ｓ４７：ＹＥＳ）、ＣＰＵは、除湿運転に関する操作画面を表示させる（Ｓ４８）。つまり、この場合にも、省エネ表示モードを解除する操作を行った後、除湿運転を行うか否かを使用者に問うための操作画面が表示され、その旨のアナウンスが音声によって報知される。このときに表示される操作画面も、図８に示す操作画面とほぼ同様とされる。
【００７６】
除湿運転に関する操作画面の表示に応じて、使用者により除湿運転を開始する操作がなされると（Ｓ４９：ＹＥＳ）、ＣＰＵは、除湿運転を暖房除湿機Ｈ／Ｄに対して要求し（Ｓ５０）、その後この表示制御処理を終える。これにより、暖房除湿機Ｈ／Ｄは除湿運転を始めることとなる。
【００７７】
Ｓ４９において、使用者により除湿運転を開始する操作がなされることなく（Ｓ４９：ＮＯ）、操作画面を切り換える操作がなされたり、あるいは一定時間が経過すると、ＣＰＵは、この表示制御処理を終える。
【００７８】
Ｓ４７において、現時点での湿度が除湿レベル以上でない場合にも（Ｓ４７：ＮＯ）、ＣＰＵは、この表示制御処理を終える。
【００７９】
Ｓ４５において、使用者により暖房運転を開始する操作がなされることなく（Ｓ４５：ＮＯ）、操作画面を切り換える操作がなされたり、あるいは一定時間が経過すると、ＣＰＵは、Ｓ４７に進む。
【００８０】
Ｓ４３において、現時点での室温が暖房温度以下でない場合にも（Ｓ４３：ＮＯ）、ＣＰＵは、Ｓ４７に進む。
【００８１】
Ｓ４２において、使用者により省エネ表示モードが解除されない場合（Ｓ４２：ＮＯ）、ＣＰＵは、省エネ表示モードが解除されるまでＳ４１を繰り返す。
【００８２】
次に、図６に示すように、待機中にあってもＣＰＵは、定期的に室温センサＳｔおよび気温センサＳａを駆使して浴室Ｂ内の室温と屋外の気温とを検出している（Ｓ６０）。
【００８３】
このような待機中、使用者が設定スイッチＳＷを押下すると（Ｓ６１：ＹＥＳ）、ＣＰＵは、待機画面中に現時点での室温と屋外の気温とを表示させ（Ｓ６２）、その後、この表示制御処理を終える。図１０は、このときに表示される待機画面の一例を説明するための説明図であって、この図に示すように、待機画面には、室温と外気温とが表示されるが、そのうちの外気温の右端に表示された矢印は、２４時間前の外気温に対する現時点での外気温の相対的な状態を示す。
【００８４】
Ｓ６１において、待機中に使用者が設定スイッチＳＷを押下しない場合（Ｓ６１：ＮＯ）、ＣＰＵは、何ら室温や外気温を表示させることなく、Ｓ６０に戻る。
【００８５】
したがって、上記風呂システムによれば、風呂リモコンＲ１や台所リモコンＲ２を介して給湯器Ｈに関する自動給湯運転操作を行った際、その時点で室温センサＳｔによって検出された室温があらかじめ設定された暖房温度よりも高いといった夏場などの場合、あるいはあらかじめ設定された除湿レベルよりも湿度センサＳｈによって検出された湿度が低いといった乾燥時期などの場合には、暖房除湿機Ｈ／Ｄを運転すべき雰囲気条件にあらず、給湯運転操作を行ってもそれに連動して暖房除湿機Ｈ／Ｄに関する操作画面が表示されることはない。つまり、雰囲気条件に応じて必要な場合にのみ暖房除湿機Ｈ／Ｄの操作画面が表示され、入浴時には浴室Ｂ内の室温や湿度を快適にすることができるので、給湯器Ｈおよび暖房除湿機Ｈ／Ｄの双方の運転操作に関して使い勝手を良くすることができるのである。
【００８６】
また、除湿に関する操作画面を表示する際には、音声によってその旨が報知されて注意が喚起されるので、使用者は、除湿を忘れることなく行ってカビ発生などを抑えることができる。
【００８７】
さらに、省エネ表示モードでは、浴室Ｂ内の室温が暖房温度よりも高い場合や湿度が低い場合、暖房除湿機Ｈ／Ｄの操作画面が表示されることなく、省エネ表示モードがそのまま続けられるので、不必要に操作画面を表示することなく省電力化を図ることができる。
【００８８】
さらにまた、浴室Ｂ内の室温が表示されるだけでなく、屋外の気温も表示され、しかも前日の気温との違いも表示されるので、前日に比べて屋外の気温が暖かいのか寒いのかをリモコンＲ１，Ｒ２の表示部３２，４２を通じて確認することができる。
【００８９】
なお、本発明は、上記の実施形態に限定されるものではない。
【００９０】
風呂リモコンＲ１や台所リモコンＲ２の制御部３０，４０が行う制御は、給湯器Ｈの制御部１０などが集中的に行うとしても良い。
【００９１】
暖房除湿Ｈ／Ｄは、暖房機能および除湿機能の別にそれぞれ独立して構成されたものであっても良い。
【００９２】
室温センサＳｔおよび湿度センサＳｈについては、必ずしも両方を備える必要はなく、いずれか一方のみでも良い。特に、気温センサＳａは、必ずしも必要とされるものではない。
【００９３】
各機器間の信号のやり取りは、無線により行われるとしても良い。
【００９４】
室温センサＳｔや湿度センサＳｈは、暖房除湿機Ｈ／Ｄに内蔵されたものであっても良く、また、気温センサＳａは、給湯器Ｈに内蔵されたものであっても良い。また、室温センサＳｔに関しては、浴室Ｂに併設される脱衣室内などの室温を検出するものとしても良い。
【００９５】
あらかじめ設定しておく暖房温度や除湿レベルは、もちろん待機中に変更できるとしても良い。
【００９６】
予約給湯運転の際には、給湯動作を完了してからタイムアップするまでの間に限り、暖房や除湿に関する操作画面が表示されるとしたが、このような一連の動作は、自動給湯運転に伴う給湯動作完了後に行われるとしても良い。また、予約給湯運転開始時からタイムアップするまでの間に限り、暖房や除湿に関する操作画面が表示されるとしても良く、さらに、予約給湯運転開始の所定時間前からタイムアップするまでの間に限り、暖房や除湿に関する操作画面が表示されるとしても良い。そうした場合、沸き上がり後の浴室Ｂ内の室温や湿度を快適に保つことができる。
【００９７】
屋外の気温については、メモリの容量に応じて２４時間分以上のたとえば１ヶ月分を記憶するようにしても良い。
【００９８】
風呂リモコンＲ１や台所リモコンＲ２は、複数設けられる必要はなく１つでも良い。
【図面の簡単な説明】
【図１】本発明に係る風呂システムの一実施形態について、その概要を示す概要図である。
【図２】各リモコンの表示部を説明するための説明図である。
【図３】各リモコンの表示制御処理を示すフローチャートである。
【図４】各リモコンの表示制御処理を示すフローチャートである。
【図５】各リモコンの表示制御処理を示すフローチャートである。
【図６】各リモコンの表示制御処理を示すフローチャートである。
【図７】暖房運転に関する操作画面の一例を説明するための説明図である。
【図８】除湿運転に関する操作画面の一例を説明するための説明図である。
【図９】風呂の自動給湯動作に関する操作画面の一例を説明するための説明図である。
【図１０】室温と屋外の気温を表示する待機画面の一例を説明するための説明図である。
【符号の説明】
Ｓｔ                    室温センサ
Ｓｈ                    湿度センサ
Ｓａ                    気温センサ
Ｈ                      給湯器
Ｈ／Ｄ                  暖房除湿機
Ｒ１                    風呂リモコン
Ｒ２                    台所リモコン
１０，２０，３０，４０  制御部
１１，２１，３１，４１  通信インターフェイス部
３２，４２              表示部
【図１】
0003750551.tif 000002
【図２】
0003750551.tif 000003
【図３】
0003750551.tif 000004
【図４】
0003750551.tif 000005
【図５】
0003750551.tif 000006
【図６】
0003750551.tif 000007
【図７】
0003750551.tif 000008
【図８】
0003750551.tif 000009
【図９】
0003750551.tif 000010
【図１０】
0003750551.tif 000011